(57)【要約】【課題】片手でカメラを持ってセルフポートレート撮影を行なったとしても手ぶれが起こり難いカメラを提供すること。【解決手段】セルフポートレートモードが指定されたときには、セルフポートレートモードが指定されたときに、オートフォーカス装置によりピントが所定の距離に設定され、撮影操作子が半押し操作されるまで露出制御部により露出演算が繰り返し行われる。この露出制御部により撮影操作子の半押し操作（ＳＷ１オン）が行なわれるときの絞りとシャッタ秒時の組み合わせを設定し、撮影操作子の半押し操作が行われた時（ＳＷ１オン）にシャッタ駆動部により絞り兼用シャッタを駆動し、撮影を行う。【選択図】    図３
2004240300.tif 000002
【特許請求の範囲】
【請求項１】
撮影者自身を被写体とするセルフポートレートモードを含む複数の撮影モードを有し被写体光を捉えて撮影を行なうカメラにおいて、
前記複数の撮影モードの中から任意の撮影モードを指定するモード切替操作子と、
半押し操作および全押し操作の二段階の操作が行なわれる撮影操作子と、
前記モード切替操作子によりセルフポートレートモード以外のモードが指定されているときは全押し操作で撮影を行なうとともに該モード切替操作子によりセルフポートレートモードが指定されたときは半押し操作で撮影を行なう制御部とを備えたことを特徴とするカメラ。
【請求項２】
被写体までの距離を測定して測定された距離にピントを調整するオートフォーカス装置を備え、
前記制御部は、前記モード切替操作子によりセルフポートレートモードが指定された場合には、前記オートフォーカス装置に、被写体までの距離にかかわらず、あらかじめ定められた所定の距離にピントを調整させるものであることを特徴とする請求項１記載のカメラ。
【請求項３】
被写体輝度を測定して露出調整を行なう露出制御装置を備え、前記制御部は、前記露出制御装置に、前記モード切替操作子によりセルフポートレートモード以外の撮影モードが指定されたときは半押し操作が行なわれたことを受けて被写体輝度を測定させるとともに、前記モード切替操作子によりセルフポートレートモードが指定されたときはセルフポートレートモードが指定されたことを受けて被写体輝度の測定を繰り返し行わさせるものであることを特徴とする請求項１記載のカメラ。
【請求項４】
絞り径の調節が自在な絞りあるいは絞り兼用シャッタを備え、前記制御部は、前記モード切替操作子によりセルフポートレートモードが指定されたときは、前記露出制御装置に、前記絞りあるいは絞り兼用シャッタを開放絞りよりも小径に絞った状態で露出調整を行なわさせるものであることを特徴とする請求項３記載のカメラ。
【発明の詳細な説明】
【０００１】
【発明の属する技術分野】
本発明は、撮影者に向けて撮影者自身を被写体とするセルフポートレートモードを含む複数の撮影モードを有し被写体光を捉えて撮影を行なうカメラに関する。
【０００２】
【従来の技術】
撮影者の中にはカメラを自分に向けて持ち、自分でレリーズ操作を行なって撮影を行なう、いわゆるセルフポートレート撮影を行なう人がいる。カメラの中には、このようなセルフポートレート撮影が行なわれることを想定してセルフポートレートモードという撮影モードが付加されたカメラもある。
【０００３】
このようなカメラを片手で持ち、もう一方の手でレリーズ操作を行なうときにはカメラを両手で持ってレリーズ操作を行なうときよりも、カメラの姿勢が不安定になりやすい。したがってセルフポートレートに設定したカメラを片手で持ち、もう一方の手で撮影操作子を全押し操作することでセルフポートレート撮影を行なうと、カメラの姿勢が不安定であるため、撮影操作子を最後まで押し込んだことによる反動で手ぶれが発生してしまうことがある。
【０００４】
またカメラにはカメラの撮影操作子に、その操作子を半分程度軽く押し込む半押し操作と最後まで押し込む全押し操作といった２つの操作態様を用意し、半押し操作でピント調整や露出調整が行なわれ、全押し操作で撮影が行なわれるものがある。そうすると半押し操作時にレンズ鏡胴が前後することもあり、セルフポートレート撮影時に撮影者がレンズ鏡胴の動きを避けようとして全押し操作時の手ぶれがより大きくなってしまうこともある。
【０００５】
そこで、手ぶれが起きてもその手ぶれが撮影に反映されないように、全押し操作が行なわれてから所定の時間を経過した後で撮影が行なわれるカメラが提案されている（例えば特許文献１参照）。しかしその所定の時間、カメラを動かさずに片手で持ち続けるということには無理があり、手ぶれの抑制効果が薄い。
【０００６】
【特許文献１】
特開平２００１−２４９３７９号公報
【０００７】
【発明が解決しようとする課題】
本発明は、上記事情に鑑み、片手でカメラを持ってセルフポートレート撮影を行なったとしても手ぶれが起こり難いカメラを提供することを目的とする。
【０００８】
【課題を解決するための手段】
上記目的を達成する本発明のカメラは、撮影者自身を被写体とするセルフポートレートモードを含む複数の撮影モードを有し被写体光を捉えて撮影を行なうカメラにおいて、
上記複数の撮影モードの中から任意の撮影モードを指定するモード切替操作子と、
半押し操作および全押し操作の二段階の操作が行なわれる撮影操作子と、
上記モード切替操作子によりセルフポートレートモード以外のモードが指定されているときは全押し操作で撮影を行なうとともにそのモード切替操作子によりセルフポートレートモードが指定されたときは半押し操作で撮影を行なう制御部とを備えたことを特徴とする。
【０００９】
上記本発明のカメラによれば、上記セルフポートレートモードのときには上記撮影操作子を最後まで深く押し込む上記全押し操作時に撮影を行なわず、上記半押し操作時に撮影が行なわれる。そうすると上記撮影操作子を深く押し込んだことにより生ずる反動による手ぶれが起きたとしても撮影には反映されなくなる。
【００１０】
ここで被写体までの距離を測定して測定された距離にピントを調整するオートフォーカス装置を備え、
上記制御部は、上記モード切替操作子により上記セルフポートレートモードが指定された場合には、上記オートフォーカス装置に、被写体までの距離にかかわらず、あらかじめ定められた所定の距離にピントを調整させるものであることが好ましい。
【００１１】
このように、上記セルフポートレートモードが指定された場合に、上記制御部が上記オートフォーカス装置に、被写体までの距離にかかわらず、あらかじめ定められた位置にピントを調整させると、上記半押し操作時にレンズ鏡胴が前後することもなく、レンズ鏡胴が前後するのを避けようとして手ぶれが起こるといったことがなくなる。
【００１２】
また被写体輝度を測定して露出調整を行なう露出制御装置を備え、前記制御部は、前記露出制御装置に、前記モード切替操作子によりセルフポートレートモード以外の撮影モードが指定されたときは半押し操作が行なわれたことを受けて被写体輝度を測定させるとともに、前記モード切替操作子によりセルフポートレートモードが指定されたときはセルフポートレートモードが指定されたことを受けて被写体輝度の測定を繰り返し行わさせるものであることが好ましい。
【００１３】
このようにセルフポートレートモードが指定されたときには、上記所定の距離にピントを固定し、いつ半押し操作が行なわれてもいいように半押し操作が行なわれるまで被写体輝度を繰り返し測定して露出調整が連続的に行なわれる。そうすると、いままであれば半押し時に行なわれていた露出調整が、半押し操作前に事前に行なわれ、最適な絞りが半押し操作が行なわれるときに設定されて撮影が行なわれる。
【００１４】
そこで上記本発明のカメラが絞り径の調節が自在な絞りあるいは絞り兼用シャッタを備えていることが好ましく、上記制御部は、上記モード切替操作子によりセルフポートレートモードが指定されたときは上記露出制御装置に、上記絞りあるいは絞り兼用シャッタを開放絞りよりも小径に絞った状態で露出調整を行なわさせるものであることが望ましい。
【００１５】
このように露出制御装置に、上記絞りあるいは絞り兼用シャッタを開放絞りよりも小径に絞った状態で露出調整を行わさせると、上記制御装置が上記オートフォーカス装置に、あらかじめ定められた所定の距離にピントの調整を行なわせても、そのピント位置を中心に前後にピントをあわせるように絞りを絞った撮影を行なえる。その結果、鮮明なポートレート写真が得られる。
【００１６】
【発明の実施の形態】
以下、本発明の実施形態を、図を参照して説明する。
【００１７】
図１は、本実施形態のカメラを示す斜視図であり、図１（ａ）は前方斜め上方から見た斜視図で、また図１（ｂ）は後方斜め上方から見た斜視図である。
【００１８】
図１（ａ）に示すように撮影レンズ１０１上方には、測距用の投光窓１０２ａおよび受光窓１０２ｂ、ファインダの対物窓１０３が備えられている。さらにそのファインダの対物窓１０３の隣には閃光発光部１０４も備えられている。
【００１９】
このカメラ１００の上部にはこのカメラ１００を撮影者に向けて撮影者自身を撮影するときに撮影者がどちらの手でもレリーズ操作を行なえるように右手用および左手用の撮影操作子１１０ａ，１１０ｂが設けられている。
【００２０】
またカメラ１００の上部には、撮影者に向けて撮影者自身を撮影するセルフポートレートを指定するモード切替スイッチ１２０も設けられており、そのモード切替スイッチ１２０がセルフポートレート側に切り替えられると、このカメラ１００を撮影者に向けて撮影者自身を撮影するセルフポートレートモードに適したピントの設定が後述するカメラ１００内部の信号処理部で行なわれる。なお、本実施形態のカメラ１００では、セルフポートレートモードスイッチ１２０が他の撮影モードとは別に設けられているが、このセルフポートレートモードスイッチ１２０は、このセルフポートレートモードを含む複数の撮影モードの中から任意の撮影モードを指定するモード切替操作子であっても良い。
【００２１】
セルフポートレートスイッチ１２０が切り替えられ、セルフポートレートモードになると、右手用、左手用撮影操作子のいずれかが使用禁止になっていたとしても、右手用の撮影操作子１１０ａ、左手用撮影操作子１１０ｂ双方が使用可能な状態になる。つまりセルフポートレートスイッチ１２０が切り替えられてセルフポートレートモードになったときには、どちらの手でレリーズ操作されても良いようになる。したがって、撮影者自身の姿勢に応じてどちらかの手でレリーズ操作を行っても、セルフポートレート撮影を行なえる。
【００２２】
また、このカメラ１００の背面には図１（ｂ）に示すように表示画面１４０ａや十字キー１５０などの操作部が備えられており、その十字キー１５０の内側にはこのカメラが有する撮影モードおよび閃光発光モードのいずれかを指定するメニュー／決定釦１５１も設けられている。その表示画面１４０ａの上方にはファインダの接眼部１０３ａも在り、その接眼部１０３ａの脇には警告ランプ１０３ｂが備えられている。この警告ランプ１０３ｂはセルフポートレートモードになっていることをユーザに知らせるためのものであり、この警告ランプが点滅すると、セルフポートレートスイッチ１２０がセルフポートレート側に切り替えられてセルフポートレートモードになっていることがユーザに伝えられる。このようにしておくと、セルフポートレートモードであるにも拘わらずファインダ１０３を覗いて通常撮影を行なおうとしたときに、ファインダの接眼部１０３ａのライト１０３ｂが点滅してユーザに対しセルフポートレートモードであることを知らせることができ、セルフポートレートモードであるにも拘わらず、誤って通常撮影が行なわれるといったことがなくなる。
【００２３】
また表示画面１４０ａ上には閃光発光部１０４ａの閃光発光モードの設定内容や、セルフタイマーの設定内容や、フォーカス調整などの設定内容や、日時などがそれらを表わす画像で表示されており、それらの他にどちらの撮影操作子が使用可能な状態に設定されているかも画像で表示されている。また、表示画面１４０ａの最上部にはＡＵＴＯという文字によって閃光発光モードとしてオート発光モードが指定されていることが示されている。このカメラ１００には閃光発光モードとして、オート発光モードや強制発光オフモードや赤目発光モードなどが配備されており、その閃光発光モードのうち、オート発光モードが設定された状態が示されている。これらのモードの切替は十字キー１５１によって行なわれ、決定ボタン１５０によって指定される。
【００２４】
このような機能を有するカメラでセルフポートレート撮影が行なわれる。
【００２５】
図２は図１のカメラの信号処理部の構成を示す図である。
【００２６】
このカメラはＣＰＵ１６０により統括的に制御されるもので、図２の左側にはＣＰＵ１６０へ信号を入力するものが示され、図２の右側にはＣＰＵ１６０からの指示に応じて動作するもの等が示されている。図１に示すカメラは、ＣＰＵ１６０からの指示に応じて動作するものとして、フォーカスレンズ（不図示）を所定の位置に駆動するレンズ駆動部１６１、シャッタを駆動するシャッタ駆動部１６２、閃光を発する閃光発光部１０４、ロール状のフィルムの撮影駒を撮影位置に給送する給送機構１６３、図１（ｂ）に示す表示画面１４０ａを持つ表示装置１４０を備えている。
【００２７】
また、図１に示すカメラは、ＣＰＵ１６０へ信号を入力するものとして測光装置１６５、測距装置１６６、操作部１６７、フィルム感度検出部１６８を備えている。測光装置１６５は、被写界輝度を測光するためのもので、測距装置１６６は、被写体距離を測定するためのものである。なお、電源部１６４はＣＰＵ１６０に動作用の電力を供給するものとして入力側に示してある。このＣＰＵ１６０が本発明にいう制御部に当たる。
【００２８】
また、操作部１６７の中には、図１で示した撮影操作子１１０ａ，１１０ｂほか、セルフポートレートモードスイッチ１２０、決定釦１５０、十字キー１５１などがある。この操作部１６７の中のいずれかのスイッチの操作内容に応じても、レンズ駆動部１６１、閃光発光装置１０４の他、シャッタ駆動部１６２、給送機構１６３、表示装置１４０などの動作がＣＰＵ１６０により制御される。
【００２９】
また、本実施形態のカメラ１００の撮影操作子は半押し操作および全押し操作の２段階の操作が行なわれるもので、図示はしていないが撮影操作子１１０，１１０ｂそれぞれの半押し操作に応じて閉じる第１のスイッチＳＷ１と全押し操作に応じて閉じる第２のスイッチとがＣＰＵ１６０にそれぞれ接続されている。ＣＰＵ１６０では第１のスイッチが投入されたことを受けて半押し操作と認識し、第１のスイッチに続けて第２のスイッチが投入されたことを受けて全押し操作と認識する。後述するフローチャートの中には半押し操作で投入される第１のスイッチをＳＷ１と記載し、全押し操作で投入される第２のスイッチをＳＷ２と記載して半押し操作と、全押し操作とを区別している。
【００３０】
また、ＣＰＵ１６０では、測光装置１６５からの被写界輝度とフィルム感度検出部１６８からのフィルム感度情報に基づいて、露光量を定めることが行なわれ、その露光量に基づいて定められた絞りとシャッタ秒時の組み合わせをシャッタ駆動部１６２に設定することが行なわれる。この測光装置１６５とＣＰＵ１６０とシャッタ駆動部１６１と絞り兼用シャッタとの組み合わせが本発明にいう露出制御装置の一例に当たる。本実施形態のカメラには、いわゆるプログラムシャッタが組み込まれており、測光装置１６５の測光値によりＣＰＵ１６０によって絞りとシャッタ秒時とが設定されると、シャッタ駆動部１６２により絞り兼用シャッタがその絞りとそのシャッタ秒時に応じて駆動される。
【００３１】
またＣＰＵ１６０によって測距装置１６６で測距された被写体距離がレンズ駆動部１６１に伝えられ、レンズ駆動部１６１ではその被写体距離に応じた位置にフォーカスレンズを駆動することが行なわれる。この測距装置１６６とＣＰＵ１６０とレンズ駆動部１６１との組み合わせが本発明にいうオートフォーカス装置の一例に当たる。
【００３２】
また、本実施形態のカメラでは、セルフポートレート撮影が行なわれるときに絞りを絞ることができるように、測光装置１６５により測定された被写体輝度に応じて閃光発光装置１０４の閃光発光部１０４ａから閃光を発して撮影を行なえるようにもなっている。
【００３３】
本実施形態のカメラでは、前述したように撮影操作子が半押し操作、全押し操作の２つの操作態様を有しているので、セルフポートレートモードがモード切替操作子１２０により指定された場合には、操作部１６７にある撮影操作子１１０ａ，１１０ｂの半押し操作が行なわれたことを受けて、ＣＰＵ１６０はシャッタ駆動部１６２に絞り兼用シャッタを駆動させる。このときには、半押し操作が行なわれるまでに繰り返し露出制御装置に連続的に露出調整を行なわせ、露出制御装置で絞りとシャッタ秒時の組み合わせを絶えず設定することが行なわれている。ここで半押し操作が行なわれたら、半押し操作が行なわれるときの絞りとシャッタ秒時の組み合わせで絞り兼用シャッタが露出制御装置の中のシャッタ駆動部１６２により駆動され撮影が行なわれる。なお、被写体輝度が高輝度であるときには、開放絞りよりも小径に絞った小絞りの状態で絞り兼用シャッタをシャッタ駆動部１６２により駆動させることはもちろんのこと、被写界輝度が低輝度である場合には閃光発光装置１０４の閃光発光部１０４ａに閃光発光を行なわせ、開放絞りよりも小径に絞った小絞りの状態で撮影を行なえるようにもなっている。
このようにすると、露出制御装置に被写界輝度が暗いときに閃光を発することを前提として開放絞りよりも小径に絞った小絞りを設定させることができる。
【００３４】
また、本実施形態のカメラでは、セルフポートレート撮影を行なうときの被写体の位置を０．３５ｍ〜０．８５ｍとして、この範囲内に被写体が位置し、この範囲にいる人が左右の手いずれかを撮影操作子１１０ａ，１１０ｂまで延ばしてレリーズ操作を行ってセルフポートレート撮影を行なう。したがって、ポートレートモードがモード切替操作子１２０により指定されたら、ＣＰＵ１６０はオートフォーカス装置に、被写体までの距離にかかわらず、あらかじめ定められた位置にピントの調整を行なわせている。
【００３５】
このように本実施形態のカメラでは、セルフポートレート撮影のときにピントを所定の距離にあわせて絞りを開放絞りよりも小径の小絞りにして撮影が行なわれるので、０．３５ｍ〜０．８５ｍの範囲にピントのあった、鮮明な写真が得られる。また半押し操作が行なわれたときに撮影を行なうことで、撮影操作子を深く押し込んて全押し操作が行われたときに起きていた手ぶれが撮影に反映されるということがなくなる。
【００３６】
ここでセルフポートレート撮影における処理手順を、図３を参照して詳細に説明する。
【００３７】
図３はＣＰＵによる撮影処理の手順を示すフローチャートである。
【００３８】
図３にはＣＰＵによる通常撮影モードの処理手順とセルフポートレート撮影モードの処理手順のフローがそれぞれ示されている。ここではセルフポートレート撮影モードの処理手順を中心に説明する。セルフポートレート撮影モードの処理はステップＳ３０３〜ステップＳ３０９に示されている。
【００３９】
まず、電源が投入されると、図３に示すフローチャートの処理がステップＳ３０１から開始される。
【００４０】
まず、ステップＳ３０１でＣＰＵ１６０により初期設定が行なわれ、カメラが撮影可能な状態になる。ステップＳ３０２ではセルフポートレートモード設定であるか否かが判定され、ここでセルフポートレートモードが指定されていたら、Ｙと判定され、ステップＳ３０３へ移行する。このステップＳ３０３でバッテリチェックが行なわれ、バッテリの容量が撮影処理に充分な容量であると判定されたときにＹ側へ進められ次のステップＳ３０４へ移行する。またこのステップＳ３０３でバッテリの容量が撮影処理を行なうのに不十分であると判定されたときにはＮ側へ進められ、ステップＳ３０１に戻される。このステップＳ３０１に処理が戻されたときには例えば表示画面１４０ａにバッテリの容量不足の表示が行なわれる。
【００４１】
ステップＳ３０３でバッテリの容量が充分であると判定されたときには、そのままセルフポートレートモード撮影処理が続行され、Ｙ側へ進められてステップＳ３０４で露出演算タイマが起動される。この露出演算タイマはＣＰＵ１６０が備えるものであって、この演算タイマが起動されると、このタイマにより計時される時間に基づいて所定の間隔ごとに露出演算が上記露出制御部で繰り返し行なわれる。つまり、セルフポートレートモードが指定されてから半押し操作が行なわれるまで、露出制御部で繰り返し露出演算が行われ、開放絞りよりも小径の小絞りとシャッタ秒時の組み合わせが半押し操作が行われるときに設定されるようになっている。
【００４２】
次のステップＳ３０５へ移行してＣＰＵ１６０が０．３５ｍ〜０．８５ｍの範囲内の所定の距離にピントがあうようにフォーカスレンズを駆動する指示がオートフォーカス装置に出され、オートフォーカス装置のレンズ駆動装置によりフォーカスレンズが駆動される。
【００４３】
ステップＳ３０６で撮影操作子が半押しされ、第１のスイッチＳＷ１オンかどうかが判定されたら、Ｙ側へ進められ、シャッタ駆動部１６２により上記露出制御部に設定された絞りとシャッタ秒時で絞り兼用シャッタが露出制御部のシャッタ駆動部１６２により駆動され撮影が行なわれる。
【００４４】
この撮影が終了したら、ステップＳ３０８で露出演算タイマがリセットされ、次のステップＳ３０９で撮影位置にあるロール状のフィルムの撮影駒の巻上げが行なわれる。そして、撮影位置に新たな撮影駒になるひと駒分のフィルムが給送され、次の撮影に対する準備が行なわれる。
【００４５】
またセルフポートレートモード以外の撮影モードが指定されたときには、ステップＳ３０２でＮ側へ進められ、ステップＳ３１０へ移行する。このステップＳ３１０で撮影操作子が半押し操作が行なわれ、第１のスイッチＳＷ１がオンしたと判定されたら、Ｙ側へ進められ、ステップＳ３１１でバッテリチェックが行なわれる。また、ステップＳ３１０で半押し操作が行なわれていなかったら、半押し操作が行なわれるまで繰り返しこのステップＳ３１０で判断が行なわれる。
【００４６】
ステップＳ３１０で半押し操作が行なわれ、Ｙ側へ進められステップＳ３１１でバッテリが充分な容量を持つと判定されたら、撮影処理が続行され、ステップＳ３１２へ移行し、バッテリの容量が不十分であると判定されたらＮ側へ進められステップＳ３０１に戻される。
【００４７】
ステップＳ３１１でバッテリの容量が充分であると判定され、Ｙ側へ進められ、ステップＳ３１２へ移行したら、このステップＳ３１２で露出制御装置により露出演算が行なわれる。露出演算が終了して絞りとシャッタ秒時の組み合わせが上記露出制御部に設定されたら、ステップＳ３１３でオートフォーカス装置により被写体距離の測距が行なわれ、Ｓ３１４でレンズ駆動部によりフォーカスレンズがピント位置に駆動される。
【００４８】
そしてステップＳ３１５で全押し操作が行なわれ、第２のスイッチＳＷ２がオンしたと判定されたら、ステップＳ３１６で絞り兼用シャッタが駆動され、撮影が行なわれる。そしてステップＳ３０９でロール状のフィルムの巻取りが行なわれ次の撮影に備える。
【００４９】
以上説明したように、セルフポートレート撮影が行なわれるときには、半押し操作が行われたときに撮影が行なわれる。したがって、いままで全押し操作が行われた時に起きていた手ぶれの発生が抑制される。
【００５０】
なお、本実施形態のカメラでは絞り兼用シャッタを用いてプログラムシャッタを構成しているが、絞り径の調節が自在な絞りとシャッタとでプログラムシャッタを構成しても良い。絞り径の調節が自在な絞りとシャッタが別体のものであるときには、絞りの絞り径が小絞りに設定され、別体のシャッタが所定のシャッタ秒時で駆動される。
【００５１】
【発明の効果】
以上、説明したように、本発明のカメラによれば、片手でカメラを持ってセルフポートレート撮影を行なったとしても手ぶれが起こり難いカメラを提供することができる。
【図面の簡単な説明】
【図１】本実施形態のカメラを示す斜視図であり、図１（ａ）は前方斜め上方から見た斜視図で、また図１（ｂ）は後方斜め上方から見た斜視図である。
【図２】図１のカメラの内部構成を示す図である。
【図３】ＣＰＵによる処理の手順を示すフローチャートである。
【符号の説明】
１００    カメラ
１０１    撮影レンズ
１０２    ＡＦ装置
１０３    ファインダ
１０４ａ    閃光発光部
１０４    閃光発光装置
１１０ａ    左手用撮影操作子
１１０ｂ    右手用撮影操作子
１２０    セルフポートレートモードスイッチ
１３０    視認窓
１４０    表示装置
１４０ａ    表示画面
１４１    撮影操作子がマークとして表された画像
１５０    十字キー
１５１    メニュー／決定釦
１６０    ＣＰＵ
１６１    レンズ駆動部
１６２    シャッタ駆動部
１６３    給送機構
１６４    電源部
１６５    測光装置
１６６    測距装置
１６７    操作部
１６８    フィルム感度検出部
【図１】
2004240300.tif 000003
【図２】
2004240300.tif 000004
【図３】
2004240300.tif 000005